(57)【要約】　　　（修正有）【課題】素手で注射液のアンプルをカットする際、カット面が歪に割れ、その破片で指を傷つける場合があるので、指を確実に保護、防護できるものを提供する。【解決手段】形状は、筒状で、手で把持した場合、手中内で安定して収まり、一方の先端が左右一対のスリットとダーツ加工により、常にスカート状またはラッパ状に開口いる状態に保持し、その開口部より目的とする対象物を差し込み、プロテクターの外部より指で固定しアンプル頸部のカットに入ると、アンプルカット面の切り口に指が当たることもなく、安全かつ容易にカットが終了する。弾力性、柔軟性に富み、滑りにくい摩擦力を有する軟質ゴム、軟質プラスティックその他この性質に類する素材で制作する。【選択図】図１
0003099475.tif 000002
【実用新案登録請求の範囲】
【請求項１】
軟質ゴム、および軟質プラスティック、その他様々な素材を主体とした素材でできた筒状で、筒の形状は円形または楕円形、または平らな楕円形（φ１．５〜２．０ｃｍ）。長さに関しては、アンプルの長さに対応して必要な長さと、アンプルセットする際、プロテクター自体を指から落とす事なく、安定して確実に保持できアンプルカットできる長さの両面で考慮すると、両者とも大きさに幅があり４．０ｃｍから１５．０ｃｍを権利の範囲とする。その一方の下端に、一対のスリットを入れ（長さ１．５〜２．０ｃｍ）、そのスリット切り込みを補うように同質材にて、プリーツのような形状で三角形のヒダ付けをし、スリット部をカバーし、太いアンプルでも挿入可能とする。
【請求項２】
使い捨て用として、
【請求項１】
の素材より軽便な和紙、ビニール、ポリエチレン等も使用出来るものとする。尚、この場合の素材におい
ても表面に摩擦力の大きいゴムなどをコートするもので
【請求項１】
と同様の構造を成す。
【考案の詳細な説明】
【０００１】
【発明の属する技術分野】
本考案は、手で注射薬のアンプルをカットする際、その破片で指を傷つける場合があるのでそれを防ぐ、指の保護、防護に係る技術である。
【０００２】
【従来の技術】
従来、素手でアンプルを割る、切る、開けるという場合、手や指を防護するたに、手袋で手全体を保護するか、ゴムのシートなどで対象物を覆う方法があった。手袋については、着脱が面倒な上、着脱に時間がかかる欠点があった。
【０００３】
【考案が解決しようとする課題】
アンプルの大小に対応して、手の指を傷つける事なく、安全にアンプルをカット出来る補助具としてのプロテクターを開発すること、そしてそのプロテクターは軽便で、衛生的、抗菌性、クリーニング性があること。
【０００４】
本考案の課題は、アンプルの大きさに幅広く対応でき、より安全に、そして使い易さを追求した。できるだけシンプルでかさばらない最小限のプロテクターを開発しようとするものである。
【０００５】
【課題を解決するための手段】
本考案におけるプロテクターの素材は、手の指をアンプルの破片から防護する弾力性、柔軟性に富み、滑りにくい摩擦力を有する軟質ゴム、軟質プラスティックその他この性質に類する素材で制作する。
【０００６】
形状は、筒状で、手で把持した場合、手中内で安定して収まり、一方の先端が左右一対のスリットとダーツ加工により、常にスカート状またはラッパ状に開口いる状態に保持し、その開口部より目的とする対象物を差し込み、プロテクターの外部より指で固定しアンプル頸部のカットに入ると、アンプルカット面の切り口に指が当たることもなく、安全かつ容易にカットが終了する。又終了後、指の固定を解除する事により、プロテクターのラッパ口は、自然に再開口するので、差し込んでいたアンプルが指の圧迫の解除により自然落下し、容易に取り出すことができる。
【０００７】
使い捨てなどの軽便なタイプについては、和紙などの素材も対象素材とするが、アンプルの確実なグリップ（保持上）に、滑りにくい摩擦力は欠かせないので、表面に滑り止め加工としてゴムまたはラバーコーティングをする。
【０００８】
【考案の実施の形態】
考案の実施の形態について図面を参照して説明する。
図１は本考案の斜視図である。１は基体となる筒状の部分で、筒の形状は円形または楕円形または平らな楕円形。理由としては、アンプルの保持が確実に認識できて、アンプルカットが正確な位置で出来る。（φ１．５〜２．０ｃｍ）
【０００９】
基体の長さは、もっとも使用頻度の多い大小のアンプルに対応し、アンプルカットの際の手中内の安定した把持の両面から、４．０ｃｍから１５．０ｃｍを本案の権利とする。
【０００１０】
筒状の一方の下端に図１、図２、図３、図４の２の様に左右一対のスリットを入れる。スリットの深さは、基体の質、厚さにもよるが、カットするアンプルの大小サイズに対応して、１．５ｃｍ〜２．０ｃｍを権利の範囲とする。その両サイドのスリット部を各々広げ、０．５ｃｍ〜１．５ｃｍ開口した状態で、各々のスリット間にその隙間を埋める形で、三角形のシートでプリーツ状、ダーツ加工の裏当てをする。シートの素材は、プロテクター素材に準ずる。これは、この部分を常にラッパ状に開口状態に保持し、またその部を圧迫しても、即座に速やかにもとの開口状態に復活することを期待したものである。そのことにより、アンプルカットの効率が良くなる。
【０００１１】
【実施例】
図５は、プロテクターの下面の開口部よりアンプル頭部を挿入した図である。挿入の深さは、アンプル頸部まで達しない位置迄で留め（頸部を覆わない）、プロテクターの外側より一方の手の指で、アンプル頭部を固定する。もう片方の手でアンプル胴部を固定しカットする。
図６は、アンプルカット終了後の図で、この後アンプル頭部の固定を解除すると、圧迫を解かれたプロテクターの挿入口は、即座に速やかにもとの開口状態に復活し、カットされたアンプル頭部は、自然落下する。
【０００１２】
【考案の効果】
そもそもガラスを素手で持って、力を入れて割るという行為そのものが恐怖感がある。まして一度アンプルが歪な割れ方をして創傷を負う経験をしてしまうとアンプルカットの作業そのものに不安ストレスを感じるようになる。本考案のプロテクターを使用することにより、指を切る心配の精神的なストレスから完全に離脱でき、安心して仕事に励むことができるだけでなく、感染の危険からも開放される。
アンプルの大小、アンプル頭部の形状にかかわらず、プロテクター開口部に、アンプル頭部を挿入してカットするだけの操作なので、手技そのものも変わらない。またカット終了後、指の固定を解除することにより、プロテクターの挿入口は、即座に速やかにもとの開口状態に復活し、カットされたアンプル頭部は自然落下するため余分な手間も必要なく、一連の作業が滞る事もない。実際、摩擦力の強いプロテクターで固定するので、かかる力も少なくてすみ、カット時の衝撃もほとんどない。
目的は全うするが、シンプルを極め嵩張らない最小限のプロテクターを追求したので、カット時の作業が見た目に大げさにならない。
【０００１３】
【図面の簡単な説明】
【図１】本考案のフィンガープロテクターの斜視図である。
【図２】本考案のフィンガープロテクターの開口面からの下面図である。
【図３】本考案のフィンガープロテクターの正面図である。
【図４】本考案のフィンガープロテクターの側面図である。
【図５】本考案のフィンガープロテクターの
【実施例】でセットした図である。
【図６】本考案のフィンガープロテクターの
【実施例】でカット終了後の図である。
【図７】本考案のフィンガープロテクターの
【実施例】でカット終了後のアンプル頭部の図である。指の固定を解除すると、挿入口は速やかに自然に再開口し、内側で固定されていたカットされたアンプル頭部は、自然落下する。
【符号の説明】
１　フィンガープロテクターの基体
２　スリット部のヒダ部
３　アンプル頭部
４　アンプル頸部
５　アンプル胴部
【図１】
0003099475.tif 000003
【図２】
0003099475.tif 000004
【図３】
0003099475.tif 000005
【図４】
0003099475.tif 000006
【図５】
0003099475.tif 000007
【図６】
0003099475.tif 000008
【図７】
0003099475.tif 000009
【手続補正書】
【提出日】平成14年11月22日(2002.11.22)
【手続補正１】
【補正対象書類名】明細書
【補正対象項目名】全文
【補正方法】変更
【補正の内容】
【実用新案登録請求の範囲】
【請求項１】１．アンプルカットの際、アンプル頭部に被せて、アンプルの折った切り口のガラス破片で指を傷つけないようにする筒状キャップで、その構造として、本体となる基体（１）は筒状構造をなし、筒の切り口の形状は円形（φ１．５〜２．０ｃｍ）またはその円形を少し押し潰した楕円形とする。２．その素材は、軟質ゴム、および軟質プラスティックとするが、その他柔軟な皮革、紙質も使用できるものとする。３．その長さはアンプルの大小のサイズに広範囲に対応して、カットし易い８ｃｍを基準の長さとし、極、特殊な小型アンプルから特大アンプルまで対応できる様、その本体の長さは、６．０ｃｍから１２．０ｃｍの範囲を権利請求する。４．１〜３の本体の下端に口径を広くし、太いアンプルでも挿入可能にするため、左右一対のスリットを入れ（長さ１．５〜２．０ｃｍ）、その一対のスリットの切り込み部分に、本体の円形または、楕円形の断面を広げるように、本体と同質材または近似する材質にて、プリーツ付けの様な形状で三角形のヒダを接着加工し、アンプルの挿入を容易ならしめる。（２）。以上の構成から成るフィンガープロテクターである。
尚、本フィンガープロテクターのスリット部のプリーツ取付加工部のサイズは、本体の長短により変える必要はなく常に一定のサイズで十分機能する。（アンプルを被せてカットすることが可能である。）
【考案の詳細な説明】
【０００１】
【考案の属する技術分野】本考案は、手で注射薬のアンプルをカットする際、その破片または切り口で指を傷つける場合があるのでそれを防ぐ、指の保護、防護に係る技術である。
【０００２】
【従来の技術】従来、素手でアンプルをカットする場合、アンプルの破断箇所の鋭利な角や破片より手や指を防護するために、手袋で手全体を保護するか、ゴムのシートなどで対象物を覆う方法があった。手袋については、着脱が面倒な上、着脱に時間がかかる欠点があった。
【０００３】
【考案が解決しようとする課題】アンプルをカットする際、その破片または切り口で指を傷つけることなく安全にカットできる補助具の開発。そしてそれを軽便で使い易い形態にまとめ、さらに大小のアンプルサイズにもなるべく巾広く対応できること。
【０００５】
【課題を解決するための手段】アンプルをカットする際、アンプル頭部に筒状の保護キャップを被せて、この保護キャップごとアンプルの頭部を折り取り、アンプルを開口する手段で、その素材は、手の指をアンプルの破片から防護する耐切開性を有し、弾力性、柔軟性に富み、ノンスリップ性を有する軟質ゴム、軟質プラスティックその他この性質に類する素材または複合材を考えた。
【０００６】基体の形状は筒状（１）で、下端に左右一対のスリットを切り込み、その部分にプリーツスカート状に広がるダーツ加工をして（２）、ラッパ状に開口している形状である。
アンプルカットは、アンプル頭部をダーツ加工のラッパ状の下端の開口部（スカート部）に挿入後、基体の外側より、アンプルをはさみ素手カットの場合と同様の動作で折り曲げカットする。この場合、アンプル頸部のカット面の切り口に直接指が当たることなく、安全かつ衛生的にカットが終了する。またカット後、指の把持を緩めることにより、基体の下部のラッパ口は、自然に再開口するので、差し込んでいたアンプルの胴部と折り取りカットしたアンプル頭部は、ラッパ口より容易に取り出すことができる。
【０００７】使い捨てなどの軽便なタイプについては、和紙などの素材も対象素材とするが、アンプルの確実なグリップ（保持上）に、滑りにくい摩擦力は欠かせないのと耐切開性を増す意味で、表面にゴムまたはラバーコーティングをする。
【０００８】
【考案の実施の形態】筒状の保護キャップである、アンプルカット補助具は、以下実施名称フィンガープロテクターとして形態について図面を参照して説明する。
図１は本考案の斜視図である。１は本体となる筒状の部分で（基体）、筒の形状は円形または楕円形化する。筒体を楕円形にすることによりアンプルが小型の場合も、アンプル頭部が楕円の筒体の壁に挟まれ易く、保持が確実に認識でき、アンプルカットが正確な位置で出来る。理想楕円度は１５°である。円形換算時のサイズは、φ１．５〜２．０ｃｍとする。
【０００９】基体の長さは、もつとも使用頻度の多い大小のアンプルに対応し、アンプルカットの際の手中内の安定した把持の両面から、６．０ｃｍから１２．０ｃｍを本案の権利とする。
【０００１０】筒状の下端に図１、図２、図３、図４、図５、図６、図７の２の様に左右一対のスリットを入れる。スリットの長さは、カットするアンプルの大小サイズに共有できる１．５ｃｍ〜２．０ｃｍを権利の範囲とする。その両サイドのスリット部を各々広げ、０．５ｃｍ〜１．５ｃｍ開口した状態で、各々のスリットの隙間を埋める形で、三角形のシートでプリーツ状、ダーツ加工部の接着を筒体本体の内側よりする。シートの素材は、フィンガープロテクター本体素材に準ずる。これは、この部分を常にラッパ状に開口状態に保持し、指の把持による圧迫が緩められると同時に、もとの開口状態に復活し、遊離したアンプル頭部はラッパ口より、自然落下もしくは容易に取り出すことができ、円滑に連続したカット作業を可能ならしめるためである。
【０００１１】
【実施例】基体（１）の筒状の素材は使用対象が医療薬品であることから、衛生的（抗菌加工、クリーニング性）配慮をするものとする。
対象となるアンプル頭部は、サイズの大小があるので、それに幅広く共有するスリットのサイズは、長さ１．５〜２．０ｃｍが最適で権利の範囲とする。同様の理由からスリット間を覆うダーツのプリーツ状の開き幅も４ｍｍ〜８ｍｍが適性で、この値を権利の範囲とする。
図８は、フィンガープロテクターの下面の開口部よりアンプル頭部を挿入した図である。挿入の深さは、アンプル頸部まで達しない位置迄で留め（頸部を覆わない）、フィンガープロテクターの外側より一方の手の指で、アンプル頭部を固定する。もう片方の手でアンプル胴部を固定し、アンプル頭部を折り曲げ動作によりカットする。
図９は、アンプルカット終了後の図で、この後アンプル頭部の固定を緩めると同時に、フィンガープロテクターの挿入口は、もとの開口状態に復活し（図１０）、カットされたアンプル頭部は、ラッパ口より、自然落下もしくは容易に取り出すことができ、円滑に連続したカット作業が可能となる。
【０００１２】
【考案の効果】アンプルのガラスを素手で持って、力を入れて割るという行為そのものが恐怖感がある。まして一度アンプルがいびつな割れ方をして創傷を負う経験をするとアンプルカットの作業そのものに不安ストレスを感じるようになる。本考案のフィンガープロテクターを使用することにより、指を切る怪我を防止でき、さらに、指を切る心配の精神的なストレスから完全に離脱でき、安心して仕事に励むことができるだけでなく、感染の危険からも開放される。アンプルの大小、アンプル頭部の形状にかかわらず、フィンガープロテクター下端の開口部に、アンプル頭部を挿入してカットするだけの操作なので、素手カットの場合と動作そのものは変わらない。またカット終了後、指の固定を解除することにより、フィンガープロテクター下端の挿入口は、速やかにもとの開口状態に復活し、カットされたアンプル頭部は自然落下するため余分な手間も不要になる。本考案では摩擦力の強い柔軟なフィンガープロテクターで固定するので、かかる力も少なくてすみ、カット時の衝撃もほとんどなく吸収されている。
シンプルを極め嵩張らないカット機能オンリーのフィンガープロテクターとして完成した。
【０００１３】
【図面の簡単な説明】
【図２】本考案のフィンガープロテクターのアンプル挿入口からの底面図。
【図４】本考案のフィンガープロテクターの左及び右側面図。
【図５】本考案のフィンガープロテクターの上面図。


【手続補正２】
【補正対象書類名】明細書
【補正対象項目名】〔請求項２〕
【補正方法】削除
【補正の内容】
【手続補正３】
【補正対象書類名】明細書
【補正対象項目名】〔０００４〕
【補正方法】削除
【補正の内容】
【手続補正４】
【補正対象書類名】図面
【補正対象項目名】全図
【補正方法】変更
【補正の内容】
【図１】
0003099475.tif 000010
【図２】
0003099475.tif 000011
【図３】
0003099475.tif 000012
【図５】
0003099475.tif 000013
【図６】
0003099475.tif 000014
【図７】
0003099475.tif 000015
【手続補正５】
【補正対象書類名】図面
【補正対象項目名】〔図８〕〔図９〕〔図１０〕
【補正方法】追加
【補正の内容】
0003099475.tif 000016
【手続補正６】
【補正対象書類名】明細書
【補正対象項目名】〔図面の簡単な説明〕
【補正方法】追加
【補正の内容】
【図８】本考案のフィンガープロテクターの上面図。
【図９】本考案のフィンガープロテクターのＡ−Ａ′断面図。
【図１０】本考案のフィンガープロテクターのＢ−Ｂ′断面図。




【手続補正書】
【提出日】平成15年4月21日(2003.4.21)
【手続補正１】
【補正対象書類名】明細書
【補正対象項目名】全文
【補正方法】変更
【補正の内容】
【実用新案登録請求の範囲】
【請求項１】１．アンプルカットの際、アンプル頭部に被せて、アンプルの折った切り口のガラス破片で指を傷つけないようにする筒状キャップ。使用法は、筒状キャップにアンプル頭部を挿入し、筒を手に握った状態で型通りアンプルカットするので、筒全体の長さは、手で握るのに持ちやすい長さにアンプル頭部の長さを足した６．０ｃｍから１２．０ｃｍの範囲を権利請求する。２．その構造は、アンプル頭部を挿入し易いよう筒状本体の一端を拡げ、スカート状またはラッパ状に拡張加工する。拡張加工は単に一端部を押し拡げスカート状またはラッパ状にする方法と、筒状の一端の先端の両側部に切れ込みを入れ、その切れ込みを開口させその空間に三角形のヒダを接着し拡張する方法がある。その部より挿入するアンプルの大きさに合わせ、切れ込みの長さは１．５〜２．０ｃｍとする。３．その素材はカット作業をする際、この筒状のフィンガープロテクターにアンプル頭部が挿入し易く、滑らず固定でき、しかもガラス破片より指を保護する様、柔軟性、弾力性に富み、その上摩擦力を有する、シリコン、軟質ゴム、軟質プラスティックその他この性質に類する素材または複合材とする。以上の構成から成るフィンガープロテクターである。
【考案の詳細な説明】
【０００１】
【考案の属する技術分野】本考案は、手で注射薬のアンプルをカットする際、その破片または切り口で指を傷つける場合があるのでそれを防ぐ、指の保護、防護に係る技術である。
【０００２】
【従来の技術】従来、素手でアンプルをカットする場合、アンプルの破断箇所の鋭利な角や破片より手や指を防護するために、手袋で手全体を保護するか、ゴムのシートなどで対象物を覆う方法があった。手袋については、着脱が面倒な上、着脱に時間がかかる欠点があった。
【０００３】
【考案が解決しようとする課題】アンプルをカットする際、その破片または切り口で指を傷つけることなく安全にカットできる補助具の開発。そしてそれを軽便で使い易い形態にまとめ、さらに大小のアンプルサイズにもなるべく巾広く対応できること。
【０００４】
【課題を解決するための手段】アンプルカットの際、アンプル頭部を筒状の保護キャップに挿入し、この保護キャップごと手で握り型通りアンプルカットすることで、手の指をアンプルの破片から防護する。そのためには、その素材は、耐切開性を有し、弾力性、柔軟性に富み、それに加えノンスリップ性、摩擦力を有するシリコン、軟質ゴム、軟質プラスティックその他この性質に類する素材または複合材を考えた。
【０００５】筒状内部にアンプル頭部を挿入させ易いよう、筒状の一端はスカート状またはラッパ状に拡張させる。拡張の加工としては、単に一端部を押し拡げスカート状またはラッパ状に拡張させる方法と、筒状の一端の先端の両側部に切れ込みを入れ、その切れ込みを開口させ、その空間に三角形のヒダを接着し拡張する方法がある。
【０００６】
【考案の実施の形態】筒状の保護キャップである、アンプルカット補助具は、以下実施名称フィンガープロテクターとして形態について図面を参照して説明する。
図１、図２は本考案の斜視図である。図１は筒状の基体の一端部を単に押し拡げスカート状またはラッパ状に拡張させたフィンガープロテクターである。図２は、筒状の一端の先端の両側部に切れ込みを入れ、その切れ込みを開口させ、その空間に三角形のヒダを接着し拡張させたフィンガープロテクターである。
基体となる筒の断面形状は、必ずしも正円形でなくても良く、押し潰した楕円形でも良い。
【０００７】基体の長さは、大小のアンプル頭部の長さに手で握る長さを加えた６．０ｃｍから１２．０ｃｍを本案の権利とする。
【０００８】図２タイプのフィンガープロテクターは、図４、図６、図８、図１０、図１２、図１４の２の様に左右一対のスリットを入れる。スリットの長さは、その部より挿入する大小のアンプル頭部の大きさに対応できるよう、切れ込みの長さは１．５〜２．０ｃｍとする。その両サイドのスリット部を各々広げ、０．５ｃｍ〜１．５ｃｍ開口した状態で、各々のスリットの隙間を埋める形で、三角形のヒダを接着加工する。ヒダ素材も前述の素材に準ずる。
【０００９】
【実施例】基体（１）の筒状の素材は使用対象が医療薬品であることから、衛生的（抗菌加工、クリーニング性）配慮をするものとする。
対象となるアンプル頭部は、サイズの大小があるので、それに幅広く共有するスリットのサイズは、長さ１．５〜２．０ｃｍが最適で権利の範囲とする。同様の理由からスリット間を覆うダーツのプリーツ状の開き幅も４ｍｍ〜８ｍｍが適性で、この値を権利の範囲とする。
図１５はフィンガープロテクターの下面の開口部よりアンプル頭部を挿入した図である。挿入の深さは、アンプル頸部まで達しない位置迄で留め（頸部を覆わない）、フィンガープロテクターの外側より一方の手の指で、アンプル頭部を固定する。もう片方の手でアンプル胴部を固定し、アンプル頭部を折り曲げ動作によりカットする。図１６は、アンプルカット終了後の図で、この後アンプル頭部の固定を緩めると同時に、フィンガープロテクターの挿入口は、もとの開口状態に復活し（図１７）、カットされたアンプル頭部は、ラッパ口より、自然落下もしくは容易に取り出すことができ、円滑に連続した一連のカット作業が可能となる。
【０００１０】
【考案の効果】アンプルのガラスを素手で持って、力を入れて割るという行為そのものが恐怖感がある。まして一度アンプルがいびつな割れ方をして創傷を負う経験をするとアンプルカットの作業そのものに不安ストレスを感じるようになる。本考案のフィンガープロテクターを使用することにより、指を切る怪我を防止でき、さらに、指を切る心配の精神的なストレスから完全に離脱でき、安心して仕事に励むことができるだけでなく、感染の危険からも開放される。アンプルの大小、アンプル頭部の形状にかかわらず、フィンガープロテクター下端の開口部に、アンプル頭部を挿入してカットするだけの操作なので、素手カットの場合と動作そのものは変わらない。またカット終了後、指の固定を解除することにより、フィンガープロテクター下端の挿入口は、速やかにもとの開口状態に復活し、カットされたアンプル頭部は自然落下するため余分な手間も不要になる。本考案では摩擦力の強い柔軟なフィンガープロテクターで固定するので、かかる力も少なくてすみ、カット時の衝撃もほとんどなく吸収されている。
シンプルを極め嵩張らないカット機能オンリーのフィンガープロテクターとして完成した。
【０００１１】
【図面の簡単な説明】
【図１】本考案のフィンガープロテクターの基体の一端を拡張させるだけの単純加工タイプの斜視図。
【図２】本考案のフィンガープロテクターの基体の一端にスリットをいれその隙間を埋める形で、三角形のヒダを接着する複雑加工タイプの斜視図。
【図３】図１の上面図。
【図４】図２の上面図。
【図５】図１の底面図。
【図６】図２の底面図。
【図７】図１の正面図及び背面図。
【図８】図２の正面図及び背面図。
【図９】図１の左及び右側面図。
【図１０】図２の左及び右側面図。
【図１１】図７のＡ−Ａ′断面図。
【図１２】図８のＡ−Ａ′断面図。
【図１３】図９のＢ−Ｂ′断面図。
【図１４】図１０のＢ−Ｂ′断面図。
【図１５】図２のフィンガープロテクターの
【実施例】でセットした図である。
【図１６】図２のフィンガープロテクターの
【実施例】でカット終了後の図である。
【図１７】図２のフィンガープロテクターの
【実施例】でカット終了後のアンプル頭部の図である。指の固定を解除すると同時に、挿入口は自然に再開口し、遊離したアンプル頭部は、自然落下する。
【符号の説明】
１　フィンガープロテクターの基体
２　スリット部のヒダ部
３　アンプル頭部
４　アンプル頸部
５　アンプル胴部


【手続補正２】
【補正対象書類名】図面
【補正対象項目名】全図
【補正方法】変更
【補正の内容】
【図１】
0003099475.tif 000017
【図２】
0003099475.tif 000018
【図３】
0003099475.tif 000019
【図４】
0003099475.tif 000020
【図５】
0003099475.tif 000021
【図６】
0003099475.tif 000022
【図７】
0003099475.tif 000023
【図８】
0003099475.tif 000024
【図９】
0003099475.tif 000025
【図１０】
0003099475.tif 000026
【図１１】
0003099475.tif 000027
【図１２】
0003099475.tif 000028
【図１３】
0003099475.tif 000029
【図１４】
0003099475.tif 000030
【図１５】
0003099475.tif 000031
【図１６】
0003099475.tif 000032
【図１７】
0003099475.tif 000033
【手続補正書】
【提出日】平成15年8月22日(2003.8.22)
【手続補正１】
【補正対象書類名】明細書
【補正対象項目名】実用新案登録請求の範囲
【補正方法】変更
【補正の内容】
【実用新案登録請求の範囲】
【請求項１】
アンプルカットの際、アンプル頭部に被せて、アンプルの折った切り口のガラス破片で指を傷つけないようにする筒状キャップからなるフィンガープロテクターであって、
（１）筒全体の長さは、手で握るのに持ちやすい長さにアンプル頭部の長さを足した６．０ｃｍから１２．０ｃｍである。
（２）アンプル頭部を挿入し易いよう筒状本体の一端が拡張加工され、スカート状またはラッパ状にする。
（３）拡張加工は単に一端部を押し拡げスカート状またはラッパ状にする方法、又は、筒状の一端の先端の両側部に切れ込みを入れ、その切れ込みを開口させその空間に三角形のヒダを接着し拡張する方法とする。
（４）素材は柔軟性、弾力性に富み、その上摩擦力を有する、シリコン、軟質ゴ厶、軟質プラスティックその他この性質に類する素材または複合材とする。
以上の構成を備えたフィンガープロテクター。